(57)【特許請求の範囲】
【請求項１】
被写体画像を撮影してその画像データを取得する複数の医用画像読取装置と、
前記医用画像読取装置による撮影を予約情報に従って制御する制御装置と、
が接続される医用画像撮影システムにおいて、
前記制御装置は、
前記予約情報をリスト表示する表示手段と、
前記複数の医用画像読取装置から撮影する医用画像読取装置がユーザにより指定されると、前記リスト表示された予約情報において、前記指定された医用画像読取装置が登録されている予約情報のみを自動的に選択し、前記リスト表示において前記選択された予約情報については、選択状態であることを識別表示させる表示制御手段と、
前記指定された医用画像読取装置を制御して撮影可能な状態に準備させる撮影制御手段と、を備え、
前記指定された医用画像読取装置は、前記制御手段の制御に従って撮影可能な状態に準備することを特徴とする医用画像撮影システム。
【請求項２】
前記制御装置は、
ユーザにより登録内容の変更を行う予約情報が選択され、撮影する医用画像読取装置が指定されると、当該選択された予約情報に登録されている医用画像読取装置を前記指定された医用画像読取装置に登録変更する登録変更手段を備え、
前記撮影制御手段は、前記指定された医用画像読取装置を制御して撮影可能な状態に準備させることを特徴とする請求項１に記載の医用画像撮影システム。
【請求項３】
前記医用画像読取装置において、
撮影時の撮影条件を入力する入力手段と、
前記入力された撮影条件を前記制御装置に送信する送信手段と、をさらに備え、
前記制御装置において、
前記撮影制御手段は、前記医用画像読取装置から前記入力された撮影条件の情報を受信すると、自装置を撮影可能な状態に準備するよう制御し、
前記表示制御手段は、前記リスト表示された予約情報において、前記撮影条件を送信した医用画像読取装置が登録されている予約情報を自動的に選択し、前記リスト表示において選択状態であること識別表示することを特徴とする請求項１、または２記載の医用画像撮影システム。
【請求項４】
前記医用画像読取装置において、
前記入力手段は、撮影時の画像の読み取りサイズ、読み取りの向き、読み取り位置の撮影条件のうち少なくとも何れか１つの撮影条件を入力することを特徴とする請求項３記載の医用画像撮影システム。
【請求項５】
前記制御装置において、
前記表示制御手段は、前記リスト表示された予約情報において、前記医用画像読取装置が登録されている予約情報のうち、先頭の予約情報を選択し、前記リスト表示において選択状態であることを識別表示することを特徴とする請求項１〜４の何れか一項に記載の医用画像撮影システム。
【請求項６】
前記制御装置において、
前記表示手段は、前記予約情報をその登録内容とともにリスト表示し、
前記表示制御手段は、登録変更された予約情報において登録変更前の医用画像読取装置の表示を登録変更後の医用画像読取装置に変更表示することを特徴とする請求項２記載の医用画像撮影システム。
【発明の詳細な説明】
【０００１】
【発明の属する技術分野】
本発明は、医用画像撮影システムに関する。
【０００２】
【従来の技術】
医療の分野においては、ＣＴ（Computed Tomography）装置やＣＲ（Computed Radiography）装置などの医用画像読取装置によって医用画像を撮影し、その撮影された医用画像をデジタル画像として取得する医用画像撮影システムが開発されている。
【０００３】
具体的には、支持体上に輝尽性蛍光体層を形成した医用画像変換パネルを使用するもので、この変換パネルの輝尽性蛍光体層に被写体を透過した放射線を吸収させて、被写体各部の放射線透過度に対応する放射線エネルギーを蓄積させて潜像を形成後、この蛍光体層を赤外線等の輝尽励起光で走査することによって蓄積された放射線エネルギーを蛍光として放射させてその蛍光を光電変換し、医用画像信号を得るものである。
【０００４】
このようにして取得された医用画像は画像処理を施された後にフィルム、或いはＣＲＴ等の出力装置に出力されて可視化されたり、サーバ等のファイリング装置に患者の情報とともに保存され、医療活動に利用されている。
【０００５】
上記医用画像撮影システムでは、コントローラにより複数の医用画像撮影読取装置（以下、リーダと記載）が制御されており、ＨＩＳ（病院情報システム）やＲＩＳ（放射線科情報システム）等の病院内や放射線科内の情報を管理する情報システムから１日分の撮影オーダ、或いは１週間等の一定期間分の撮影オーダを入力されると、コントローラがこれら撮影オーダを撮影予約情報として登録する。撮影技師は、撮影時にコントローラによりリスト表示された予約情報に従って所定の患者の、所定の部位に対して撮影を実行している。
【０００６】
【発明が解決しようとする課題】
しかしながら、実際の撮影時には、撮影技師が患者の状態から判断して撮影直前に予約情報に登録されているリーダを変更する場合がある。例えば立位型のリーダで撮影するように予約情報に登録されていた患者が立つことができないため、臥位型リーダに変更する場合等である。このような場合には、従来の医用画像撮影システムでは、コントローラを操作して予約情報の変更処理を行うとともに臥位型のリーダを起動しなければならず、撮影準備に煩雑な作業がともなっていた。
【０００７】
本発明の課題は、容易に予約情報に登録されている情報を変更することができ、撮影準備を容易にする操作性、及び利便性の高い医用画像撮影システムを提供することである。
【０００８】
【課題を解決するための手段】
請求項１に記載の発明は、
被写体画像を撮影してその画像データを取得する複数の医用画像読取装置と、
前記医用画像読取装置による撮影を予約情報に従って制御する制御装置と、
が接続される医用画像撮影システムにおいて、
前記制御装置は、
前記予約情報をリスト表示する表示手段と、
前記複数の医用画像読取装置から撮影する医用画像読取装置がユーザにより指定されると、前記リスト表示された予約情報において、前記指定された医用画像読取装置が登録されている予約情報のみを自動的に選択し、前記リスト表示において前記選択された予約情報については、選択状態であることを識別表示させる表示制御手段と、
前記指定された医用画像読取装置を制御して撮影可能な状態に準備させる撮影制御手段と、を備え、
前記指定された医用画像読取装置は、前記制御手段の制御に従って撮影可能な状態に準備することを特徴とする。
【００１１】
この請求項１記載の発明によれば、制御装置は、撮影する医用画像読取装置を指定し、リスト表示された予約情報において該指定された医用画像読取装置が登録されている予約情報を自動的に選択し、該医用画像読取装置は、撮影可能に準備するので、容易に撮影に使用したい医用画像読取装置が登録されている予約情報を検出することができるとともに撮影準備が容易になる。従って、操作性、及び利便性を向上させることができる。
【００１２】
請求項２に記載の発明は、請求項１に記載の医用画像撮影システムにおいて、
前記制御装置は、
ユーザにより登録内容の変更を行う予約情報が選択され、撮影する医用画像読取装置が指定されると、当該選択された予約情報に登録されている医用画像読取装置を前記指定された医用画像読取装置に登録変更する登録変更手段を備え、
前記撮影制御手段は、前記指定された医用画像読取装置を制御して撮影可能な状態に準備させることを特徴とする。
【００１５】
この請求項２記載の発明によれば、制御装置は、登録内容の変更を行う予約情報を選択して撮影する医用画像読取装置を指定すると、該予約情報において該指定された医用画像読取装置に登録変更し、該指定された医用画像読取装置は、撮影可能に準備するので、容易に撮影に使用したい医用画像読取装置が登録されている予約情報を検出することができるとともに撮影準備が容易になる。また、予約情報の登録内容を変更することができ、操作性、及び利便性の高い医用画像撮影システムを提供することができる。
【００１８】
請求項３に記載の発明は、請求項１、または２記載の医用画像撮影システムにおいて、
前記医用画像読取装置において、
撮影時の撮影条件を入力する入力手段と、
前記入力された撮影条件を前記制御装置に送信する送信手段と、をさらに備え、
前記制御装置において、
前記撮影制御手段は、前記医用画像読取装置から前記入力された撮影条件の情報を受信すると、自装置を撮影可能な状態に準備するよう制御し、
前記表示制御手段は、前記リスト表示された予約情報において、前記撮影条件を送信した医用画像読取装置が登録されている予約情報を自動的に選択し、前記リスト表示において選択状態であること識別表示することを特徴とする。
【００１９】
請求項４に記載の発明は、請求項３記載の医用画像撮影システムにおいて、
前記医用画像読取装置において、
前記入力手段は、撮影時の画像の読み取りサイズ、読み取りの向き、読み取り位置の撮影条件のうち少なくとも何れか１つの撮影条件を入力することを特徴とする。
【００２０】
この請求項３、４記載の発明によれば、医用画像読取装置は、撮影時の画像の読み取りサイズ、読み取りの向き、読み取り位置の撮影条件のうち何れか１つを入力されると制御装置に該撮影条件を送信し、制御装置は、該撮影条件を受信すると自装置を撮影可能に準備するとともに該撮影条件を送信した医用画像読取装置が登録されている予約情報を自動的に選択するので、医用画像読取装置を操作して撮影条件を入力した場合でも制御装置が自動的に撮影準備され、撮影準備が容易になるとともに、該医用画像読取装置が登録されている予約情報を容易に検出することができ、より操作性、及び利便性を向上させることができる。
【００２１】
請求項５に記載の発明は、請求項１〜４の何れか一項に記載の医用画像撮影システムにおいて、
前記制御装置において、
前記表示制御手段は、前記リスト表示された予約情報において、前記医用画像読取装置が登録されている予約情報のうち、先頭の予約情報を選択し、前記リスト表示において選択状態であることを識別表示することを特徴とする。
【００２２】
この請求項５記載の発明によれば、制御装置は医用画像読取装置が登録されている予約情報のうち、先頭の予約情報を選択するので、リストのうち先頭に表示されている予約情報を容易に検出することができ、より利便性を向上あっせることができる。
【００２３】
請求項６に記載の発明は、請求項２記載の医用画像撮影システムにおいて、
前記制御装置において、
前記表示手段は、前記予約情報をその登録内容とともにリスト表示し、
前記表示制御手段は、登録変更された予約情報において登録変更前の医用画像読取装置の表示を登録変更後の医用画像読取装置に変更表示することを特徴とする。
【００２４】
この請求項６記載の発明によれば、制御装置は予約情報を登録内容とともに表示し、登録変更された予約情報において登録変更前の医用画像読取装置の表示を登録変更後の医用画像読取装置の表示に変更するので、容易に変更された医用画像読取装置を確認することができ、より利便性が向上する。
【００２９】
【発明の実施の形態】
以下、図を参照して本発明の実施の形態を詳細に説明する。
まず、構成を説明する。
図１は、本実施の形態における医用画像撮影システム１００の全体構成を示す概念図である。本実施の形態では、
図１において、医用画像撮影システム１００は、制御装置として機能するコントローラ１０と、患者を立った姿勢で撮影する立位型の医用画像読取装置２０ａ（以下、立位型リーダ２０ａと記載）、患者を寝かせた姿勢で撮影するベッド形状の臥位型の医用画像読取装置２０ｂ（以下、臥位型リーダ２０ｂと記載）とがネットワークＮを介して相互にデータの送受信が可能なように接続される。なお、本実施の形態では、１台のコントローラ、２台の立位型、臥位型のリーダ２０ａ、２０ｂがネットワークＮに接続されていることとして説明するが、その台数、及びリーダの種類は限定しない。
【００３０】
医用画像撮影システム１００は、撮影する患者、及びその撮影に関する項目情報を撮影する順番で登録した予約情報（検査オーダ）を図示しないＨＩＳ（病院情報管理システム）やＲＩＳ（放射線科情報管理システム）、その他の予約情報入力装置から入力されると、当該予約情報に従って撮影を行う。
【００３１】
ネットワークＮは、電話回線、ＩＳＤＮ回線、専用線、移動体通信網、通信衛星回線、ＣＡＴＶ回線等の各種通信回線により構築されるネットワークであるが、ＬＡＮ（Local Area Network）やＷＡＮ（Wide Area Network）、インターネット等の様々な回線形態を適用することが可能である。なお、本実施の形態では、医用画像撮影システム１００を構成する各装置は、ネットワークＮを介して接続されるとして説明するが、これに限らずＳＣＳＩ規格などのケーブルで接続されることとしてもよい。
【００３２】
次に、図２を参照して図１に示したコントローラ１０と、立位型のリーダ２０ａの機能的構成について詳細に説明する。なお、リーダ２０ｂについては、外観がベッド形状に変わるだけでその機能的構成はリーダ２０ａと同一であるので、各構成部には同一の符号を付してその詳細な説明は省略する。
図２において、コントローラ１１は、ＣＰＵ１１、入力部１２、表示部１３、通信制御部１４、ＲＡＭ１５、記憶部１６、画像処理部１７から構成され、リーダ２０ａは、読取部２１、撮影パネル２２、操作部２３、通信制御部２４、パネル駆動部２５、放射線源３０から構成されて各部はバスにより接続される。
【００３３】
ＣＰＵ（Central Processing Unit）１１は、記憶部１６に格納されているシステムプログラムや各種制御プログラムを読み出してＲＡＭ１５に展開し、該制御プログラムに従って各部の動作を集中制御する。また、ＣＰＵ１１は、ＲＡＭ１５に展開したプログラムに従って各種処理を実行し、その処理結果をＲＡＭ１５に格納するとともに、表示部１３に表示させる。そして、ＲＡＭ１５に格納した処理結果を記憶部１６の所定の保存先に保存させる。
【００３４】
また、ＣＰＵ１１は、撮影指示を入力部１２から入力されると、指定された予約情報に従って放射線源３０に放射線を発生させる制御情報、及び撮影パネル２２を撮影位置に移動させる制御情報、読取部２１に被写体Ｍを透過した放射線を読み取らせる制御情報を生成して通信制御部１４を介してリーダ２０ａに送信する。
【００３５】
また、ＣＰＵ１１は記憶部１６に記憶される予約情報の変更処理プログラム、リーダ切換処理プログラムを読み出して後述する予約情報の変更処理、リーダ切換処理を実行する。
ＣＰＵ１１は、予約情報の変更処理において、まず撮影画面１３１を表示し、各予約情報を選択する予約情報釦１２ｆ、使用するリーダを指定する立位釦１２ａ、臥位釦１２ｂ、撮影条件の修正処理に移行する条件修正釦１２ｃ、患者情報の修正処理に移行する患者修正釦１２ｄ、撮影指示するＯＫ釦１２ｅを設定する。次いで、立位釦１２ａ、或いは臥位釦１２ｂの押下を検出すると、該釦を押下する前に予約情報釦１２ｆが押下されて選択された予約情報が有るか否かを判別する。選択された予約情報がある場合は、その予約情報に登録されているリーダを釦１２ａ、或いは１２ｂにより指定されたリーダに変更登録するとともにリーダの表示も変更する。一方、選択された予約情報が無い場合は、釦１２ａ、或いは１２ｂにより指定されたリーダが登録されている予約情報の先頭にカーソルＣを移動して該予約情報の予約情報釦１２ｆを選択状態とするとともに、釦１２ａ、或いは１２ｂにより指定されたリーダの初期化を行い、撮影動作可能な状態に準備させる。
【００３６】
次いで、条件修正釦１２ｃの押下を検出すると、撮影条件の修正画面１３２を表示して撮影条件の修正処理へ移行し、患者修正釦１２ｄの押下を検出すると、患者情報の修正画面１３３を表示して患者情報の修正処理へ移行する。ＣＰＵ１１は、該修正画面１３２において、上記立位釦１２ａ、臥位釦１２ｂ、及び撮影条件の選択釦１２ｇを設定してリーダ、及び撮影条件の登録変更を可能とし、該修正画面１３３において、患者情報の項目、及びその項目内容の入力領域を設定して患者情報の登録変更を可能とする。次いで、ＯＫ釦１２ｅの押下を検出し、撮影指示を受けると選択された予約情報に従った撮影処理に移行する。
【００３７】
また、ＣＰＵ１１は、リーダ切換処理において、まず各リーダ２０ａ、２０ｂから操作信号の入力を受けると、コントローラ１０の各部を制御して撮影動作可能な状態にする。次いで、撮影画面１３１を表示し、操作信号を入力したリーダが登録されている予約情報の先頭にカーソルＣを移動して当該予約情報の予約情報釦ｆを選択状態とする。次いで、ＯＫ釦１２ｅの押下を検出し、撮影指示を受けると選択された予約情報に従った撮影処理に移行する。
【００３８】
すなわち、ＣＰＵ１１は、撮影制御手段、登録変更手段、表示制御手段としての機能を有する。
【００３９】
入力部１２は、カーソルキー、数字入力キー、及び各種機能キー等を備えたキーボードを含み、このキーボードで押下されたキーに対応する押下信号をＣＰＵ１１に出力する。なお、入力部１２は、必要に応じてマウス、タッチパネルなどのポインティングディバイスや、その他の入力装置を備えることとしてもよい。
【００４０】
また、入力部１２は、予約情報の変更処理において、撮影画面１３１で設定される予約情報釦１２ｆ、立位釦１２ａ、臥位釦１２ｂ、条件修正釦１２ｃ、患者修正釦１２ｄ、ＯＫ釦１２ｅの各釦に対応する押下信号をＣＰＵ１１に出力する。すなわち、入力部１２は、変更指示手段としての機能を有する。
【００４１】
表示部１３は、ＬＣＤ（Liquid Crystal Display）やＣＲＴ（Cathode Ray Tube）等により構成され、ＣＰＵ１１から入力される表示信号の指示に従って、入力部１２からの入力指示や通信制御部１４から入力された各種情報などを表示画面上に表示させる。また、表示部１３は、予約情報の変更処理、リーダ切換処理において、撮影画面１３１、撮影条件の修正画面１３２、患者情報の修正画面１３３を表示する。すなわち、表示部１３は、表示手段としての機能を有する。
【００４２】
通信制御部１４は、ＬＡＮやＷＡＮ、或いはインターネットなどのネットワークに接続された伝送媒体に接続可能なインターフェイスであり、モデムまたはターミナルアダプタ等によって構成され、ネットワークＮを介して接続される外部機器との通信を行うための制御を行う。また、通信制御部１４は、ネットワークＮを介して予約情報を入力されると、ＣＰＵ１１の指示に従って該予約情報を記憶部１６に出力する。
【００４３】
また、通信制御部１４は、ＣＰＵ１１から入力された制御情報をリーダ２０ａの通信制御部２４、放射線源３０に送信し、通信制御部２４から画像データを入力されると画像処理部１７に出力する。
【００４４】
ＲＡＭ（Random Access Memory）１５は、ＣＰＵ１１によって実行される各種プログラムやこれら各種プログラムによって処理されたデータ等を一時的に記憶するワークエリアを形成する。
【００４５】
記憶部１６は、プログラムやデータ等があらかじめ記憶されている記録媒体（図示せず）を有しており、この記録媒体は磁気的、光学的記録媒体、若しくは半導体メモリで構成されている。この記録媒体は記憶部１６に固定的に設けられるもの、若しくは着脱自在に装着するものであり、この記録媒体には、システムプログラム、当該システムに対応する各種処理プログラム、及び各種処理プログラムで処理されたデータ等を記憶する。なお、プログラムは、コンピュータが読取可能なプログラムコードの形態で格納され、ＣＰＵ１１は、当該プログラムコードに従った動作を逐次実行する。
【００４６】
また、記憶部１６は、更新可能なファイル形式で予約情報ファイル（図示せず）を格納し、通信制御部１４から入力された予約情報を当該予約情報ファイルに格納する。詳細には、予約情報ファイルは、予約情報に含まれる患者、及びその撮影に関する項目情報を予約番号毎に格納する。なお、入力される予約情報は、例えば撮影する患者の患者ＩＤや患者氏名、性別、所属科、担当医名等の患者に関する項目情報や、例えばその患者を撮影する際の撮影条件（頭部、胸部、足部等の撮影部位、正面、側面、立位、臥位等の撮影体位）、撮影方法（単純撮影、造影撮影等）、撮影日、撮影装置等の撮影に関する項目情報や、例えば感染症等を警告する医療警告、薬物アレルギー、妊娠の有無、追加病歴、車椅子や担架などの特別な介助の必要性、臨床診断名、守秘事項等の撮影される患者に関する重要な項目情報等を含むものとする。
【００４７】
また、記憶部１６は、撮影された画像の原画像データを格納する原画像データ格納領域と、画像処理部１７により画像処理された処理画像データを格納する処理画像データ格納領域と、を有する。
【００４８】
画像処理部１７は、ＣＰＵ１１からの画像処理指示に従って、通信制御部１４から入力された原画像データに、画像の鮮鋭度を調整する周波数処理、適切なコントラストに画像変換する階調処理、ダイナミックレンジの広い画像を被写体の細部のコントラストを低下させることなく見やすい濃度範囲に納めるためのダイナミックレンジ圧縮処理、画像データを所定の圧縮化方式で圧縮する圧縮処理等の各種画像データ処理を施して処理画像データを生成する。
【００４９】
読取部２１は、励起光発生器や光電変換素子、Ａ／Ｄ変換器等から構成され、コントローラ１０から通信制御部２４に入力される制御情報に従って、輝尽性蛍光体層を形成した撮影パネル２２に励起光を照射して走査し、撮影パネル２２から放射された蛍光を光電変換して画像信号を生成する。読取部２１はさらに生成された画像信号をＡ／Ｄ変換し、変換された画像データを原画像データとして通信制御部２４に出力する。なお、画像信号の読み取りは輝尽性蛍光体層を使用した上記の方法に限らず、半導体検出器を用いたＦＰＤ（Flat Panel Detector）を使用した方法であってもよい。
【００５０】
操作部２３は、カーソルキー、各種機能キー等を備えたキーボードを含み、このキーボードで押下されたキーに対応する押下信号を読取部２１に出力して画像の読み取りサイズ、読み取りの向き、読み取り位置等の撮影条件の変更を行わせるとともに、パネル駆動部２５に出力して撮影パネル２２を読み取り位置に移動させる。また、この押下信号は操作信号として通信制御部２４に出力される。すなわち、操作部２３は、入力手段としての機能を有する。
【００５１】
通信制御部２４は、ＬＡＮやＷＡＮ、或いはインターネットなどのネットワークに接続された伝送媒体に接続可能なインターフェイスであり、モデムまたはターミナルアダプタ等によって構成され、ネットワークＮを介して接続される外部機器との通信を行うための制御を行う。また、通信制御部２４は、コントローラ１０から入力された制御情報を読取部２１、或いはパネル駆動部２５に出力するとともに、読取部２１から入力された画像データ、及び操作部２３から入力された操作信号をコントローラ１０に送信する。すなわち、通信制御部２４は、送信手段としての機能を有する。
【００５２】
次に、本実施の形態の動作を説明する。
動作説明の前提として、以下に記述されている処理を実行するためのプログラムは、コンピュータが読み取り可能なプログラムコードの形態で記憶部１６に格納されており、ＣＰＵ１１は、当該プログラムコードに従った動作を逐次実行する。
【００５３】
図３は、撮影時にＣＰＵ１１により実行される予約情報の変更処理を説明するフローチャートである。
図３において、まずＣＰＵ１１は、図４に示す撮影画面１３１を表示部１３に表示する（ステップＳ１）。この撮影画面１３１において、ＣＰＵ１１は、その表示領域を左右に分割し、左側に撮影された画像を表示する画像表示領域を設定し、右側に記憶部１６から読み出した撮影予定の予約情報をリスト表示する予約情報表示領域を設定する。
【００５４】
また、ＣＰＵ１１は、各予約情報を選択可能に予約情報釦ｆとして設定し、この予約情報釦ｆにおいて、登録されているリーダの種類、予約番号、撮影部位とその撮影方向を示す撮影条件、撮影された画像を表示する際の反転、或いは回転状態、撮影された画像の出力条件等の撮影に必要な情報を見て把握できるように予約情報の登録内容を表示する。なお、各予約情報釦ｆで表示する登録内容は適宜設定可能とする。また、ＣＰＵ１１は、各予約情報釦ｆを押下されると、図４に示すように選択された予約情報にカーソルＣを移動して網掛けする、色を変える等して選択状態であることを識別表示する。なお、選択されている予約情報釦ｆは、再度押下することにより選択状態が解除されるものとする。
【００５５】
さらに、ＣＰＵ１１は、撮影画面１３１において、撮影に使用する立位型リーダ２０ａ、臥位型リーダ２０ｂを指定する立位釦１２ａ、臥位釦１２ｂをそれぞれ設定し、さらに撮影条件の修正画面１３２に遷移する条件修正釦１２ｃ、患者情報の修正画面１３３に遷移する患者修正釦１２ｄ、選択された予約情報の撮影を指示するＯＫ釦１２ｅを設定し、各釦１２ａ〜１２ｅの押下を待機する。
【００５６】
次に、ＣＰＵ１１は、立位釦１２ａ、或いは臥位釦１２ｂの押下を検出し（ステップＳ２）、押下を検出しない場合はステップＳ７に移行し、立位釦１２ａ、或いは臥位釦１２ｂの押下を検出した場合は、立位釦１２ａ、或いは臥位釦２１ｂが押下される前に予約情報釦ｆの押下により予約情報が選択されているか否かを判別する（ステップＳ３）。各釦１２ａ、１２ｂが押下される前に予約情報が選択されている場合は、その予約情報に登録されているリーダをその押下により指定されたリーダに変更登録する（ステップＳ４）。図４を参照して具体的に説明すると、例えば、予約情報００２の予約情報釦ｆが押下されて選択された後に立位釦１２ａを押下されると、予約情報００２で登録されていたリーダを臥位型から立位型に変更登録して、予約情報釦ｆにおけるリーダ表示も同様に変更する。
【００５７】
一方、立位釦１２ａ、或いは臥位釦１２ｂが押下される前に予約情報が選択されていない場合には、押下された釦１２ａ、或いは１２ｂにより指定されたリーダを認識してそのリーダが登録されている予約情報の先頭にカーソルＣを移動し、該予約情報の予約情報釦１２ｆを選択状態にする（ステップＳ５）。図４を参照して具体的に説明すると、例えば立位型リーダ２０ａで予約情報００１から順番に撮影する予定だったが、臥位型リーダ２０ｂを使用して先に撮影するように変更する際に、ユーザにより臥位釦１２ｂが押下された場合、臥位型リーダが登録されている予約情報の先頭、つまり予約情報００２の予約情報釦１２ｆにカーソルＣを移動して選択状態とする。
【００５８】
次いで、ＣＰＵ１１は指定されたリーダの初期化を行って撮影可能な状態に準備させる（ステップＳ６）。詳細には、指定されたリーダを通電して起動させる、或いは休止状態から復帰させる等して動作可能状態にし、撮影パネル２２に読取済みの医用画像の潜像が残っている場合には消去処理を行って次の撮影が可能な状態に準備させる。
【００５９】
また、ＣＰＵ１１は、条件修正釦１２ｃの押下を検出し（ステップＳ７）、該釦１２ｃの押下を検出すると、図５に示す撮影条件の修正画面１３２を表示部１３に表示し、選択されている予約情報に登録されている撮影条件の修正処理に移行する（ステップＳ８）。図５に示す撮影条件の修正画面１３２において、ＣＰＵ１１は、撮影条件を選択する条件選択釦１２ｇを設定するとともに、撮影画面１３１と同様に登録するリーダの種類を指定させる立位釦１２ａ、及び臥位釦１２ｂを設定し、押下された釦を選択状態として識別表示する。
【００６０】
また、ＣＰＵ１１は、患者修正釦１２ｄの押下を検出し（ステップＳ９）、患者修正釦１２ｄの押下を検出すると、図６に示す患者情報の修正画面１３３を表示部１３に表示し、選択されている予約情報に登録されている患者情報の修正処理に移行する（ステップＳ１０）。図６に示す患者情報の修正画面１３３において、ＣＰＵ１１は、患者ＩＤ、氏名、性別等の患者情報の項目とともに、その項目内容の入力領域を設定し、既に登録されている患者情報がある場合にはその登録済みの患者情報を記憶部１６から読み出して該当する入力領域に表示しておく。
【００６１】
次いで、ＣＰＵ１１は、選択された予約情報で撮影を指示するＯＫ釦１２ｄの押下を待機し（ステップＳ１１）、該釦１２ｄが押下を検出し、撮影指示を受けると、選択された予約情報に従った撮影処理に移行する。
【００６２】
次に、図７を参照してＣＰＵ１１により実行されるリーダ切換処理を説明する。
なお、リーダ切換処理は、撮影時に読み取りサイズ、読み取りの向き、読み取り位置等の撮影条件の変更を行うためにリーダ側の操作部２３をユーザによって操作された場合、その操作信号が通信制御部１４を介してＣＰＵ１１に入力された場合に実行される。
【００６３】
図７において、ＣＰＵ１１は、各リーダ２０ａ、２０ｂの操作部２３が操作され、その操作信号が通信制御部１４を介して入力されると（ステップＳ１０１）、コントローラ１０を撮影動作可能な状態にする（ステップＳ１０２）。詳細には、コントローラ１０が休止状態であった場合には休止状態から復帰させ、他の情報を処理中であった場合には一旦処理を中断して撮影準備に移行し、コントローラ１０を構成する各構成部を制御してすぐに撮影可能な状態に準備する。
【００６４】
次いで、ＣＰＵ１１は、図４に示す撮影画面１３１を表示部１３に表示し、操作信号を入力したリーダが登録されている予約情報の先頭にカーソルＣを移動して該予約情報の予約情報釦ｆを選択状態にする（ステップＳ１０３）。上記一連の処理を具体的に説明すると、例えば臥位型リーダ２０ｂを使用して撮影を行おうとしたユーザが、臥位型リーダ２０ｂの操作部２３を操作してその読取サイズや撮影位置を変更した場合、その読取サイズ変更、或いは撮影位置変更の操作信号が通信制御部１４を介してＣＰＵ１１に入力され、該操作信号を検出したＣＰＵ１１は、コントローラ１０を構成する各構成部を制御してすぐに撮影動作可能な状態にする。次いで、撮影画面１３１を表示し、臥位型リーダ２０ｂが登録されている予約情報の先頭、つまり予約情報００２の予約情報釦ｆにカーソルＣを移動して選択状態であることを識別表示する。
【００６５】
次いで、選択された予約情報で撮影を指示するＯＫ釦１２ｄの押下を待機し（ステップＳ１０４）、該釦１２ｄが押下を検出し、撮影指示を受けると、選択された予約情報に従った撮影処理に移行する。
【００６６】
以上のように、撮影時に撮影画面１３１を表示し、該画面１３１において、撮影に使用するリーダを指定する立位型釦１２ａ、臥位型釦１２ｂを設定し、予約情報を選択後に上記釦１２ａ、或いは１２ｂを押下された場合には、その選択されている予約情報に登録されているリーダを上記釦１２ａ、或いは１２ｂの押下により指定されたリーダに切り換えて登録、及び表示するので、簡単な操作でリーダ変更を行うことができ、操作性を向上させることができる。
【００６７】
また、予約情報を選択されていない状態で上記立位釦１２ａ、或いは臥位釦１２ｂが押下された場合には、自動的にその押下により指定されたリーダが登録されている予約情報の先頭にカーソルＣを移動して該予約情報を選択状態にするので、ユーザが撮影に使用するリーダが登録されている予約情報を検索する作業を省略することができる。さらに、上記立位釦１２ａ、或いは臥位釦１２ｂにより指定されたリーダを起動して撮影可能な状態に準備させるので、容易に撮影準備を行うことができ、利便性が向上する。
【００６８】
さらに、撮影画面１３１において、撮影条件を修正する修正画面１３２に遷移する条件修正釦１２ｃ、及び患者情報を修正する修正画面１３３に遷移する患者修正釦１２ｄを設定したので、容易に予約情報の登録内容を変更することができ、ユーザの操作負担を減少させることができる。
【００６９】
さらに、ユーザにより各リーダ２０ａ、２０ｂの操作部２３が操作されると、その操作信号がコントローラ１０のＣＰＵ１１に送信され、操作信号を検出したＣＰＵ１１は、コントローラ１０の各構成部を制御してすぐに撮影動作可能な状態にするとともに、撮影画面１３１を表示して操作信号を入力したリーダが登録されている予約情報の先頭に自動的にカーソルＣを移動して該予約情報を選択状態として、自動的に撮影体勢に入るので、コントローラ１０における撮影のための撮影準備操作、或いはリーダ切換操作を省略することができ、操作性、及び利便性を向上させることができる。
【００７０】
【発明の効果】
請求項１記載の発明によれば、制御装置は、撮影する医用画像読取装置を指定し、リスト表示された予約情報において該指定された医用画像読取装置が登録されている予約情報を自動的に選択し、該医用画像読取装置は、撮影可能に準備するので、容易に撮影に使用したい医用画像読取装置が登録されている予約情報を検出することができるとともに撮影準備が容易になる。従って、操作性、及び利便性を向上させることができる。
【００７１】
この請求項２記載の発明によれば、制御装置は、登録内容の変更を行う予約情報を選択して撮影する医用画像読取装置を指定すると、該予約情報において該指定された医用画像読取装置に登録変更し、該指定された医用画像読取装置は、撮影可能に準備するので、容易に撮影に使用したい医用画像読取装置が登録されている予約情報を検出することができるとともに撮影準備が容易になる。また、予約情報の登録内容を変更することができ、操作性、及び利便性の高い医用画像撮影システムを提供することができる。
【００７３】
請求項３、４記載の発明によれば、医用画像読取装置は、撮影時の画像の読み取りサイズ、読み取りの向き、読み取り位置の撮影条件のうち何れか１つを入力されると制御装置に該撮影条件を送信し、制御装置は、該撮影条件を受信すると自装置を撮影可能に準備するとともに該撮影条件を送信した医用画像読取装置が登録されている予約情報を自動的に選択するので、医用画像読取装置を操作して撮影条件を入力した場合でも制御装置が自動的に撮影準備され、撮影準備が容易になるとともに、該医用画像読取装置が登録されている予約情報を容易に検出することができ、より操作性、及び利便性を向上させることができる。
【００７４】
請求項５記載の発明によれば、制御装置は医用画像読取装置が登録されている予約情報のうち、先頭の予約情報を選択するので、リストのうち先頭に表示されている予約情報を容易に検出することができ、より利便性を向上あっせることができる。
【００７５】
請求項６記載の発明によれば、制御装置は予約情報を登録内容とともに表示し、登録変更された予約情報において登録変更前の医用画像読取装置の表示を登録変更後の医用画像読取装置の表示に変更するので、容易に変更された医用画像読取装置を確認することができ、より利便性が向上する。
【図面の簡単な説明】
【図１】本発明を適用した実施の形態の医用画像撮影システム１００の機能的構成を示す図である。
【図２】図１のコントローラ１０と、リーダ２０ａの機能的構成を示すブロック図である。
【図３】図２のＣＰＵ１１により実行される予約情報の変更処理を説明するフローチャートである。
【図４】図２の表示部１３に表示される撮影画面１３１の表示画面例である。
【図５】図２の表示部１３に表示される撮影条件の修正画面１３２の表示画面例である。
【図６】図２の表示部１３に表示される患者情報の修正画面１３３の表示画面例である。
【図７】図２のＣＰＵ１１により実行されるリーダ切換処理を説明するフローチャートである。
【符号の説明】
１０    コントローラ
１１    ＣＰＵ
１２    入力部
１３    表示部
１４    通信制御部
１５    ＲＡＭ
１６    記憶部
１７    画像処理部
２０ａ    立位型医用画像読取装置
２０ｂ    臥位型医用画像読取装置
２１    読取部
２２    撮影パネル
２３    操作部
２４    通信制御部
２５    パネル駆動部
３０    放射線源
【図１】
0004165104.tif 000002
【図２】
0004165104.tif 000003
【図３】
0004165104.tif 000004
【図４】
0004165104.tif 000005
【図５】
0004165104.tif 000006
【図６】
0004165104.tif 000007
【図７】
0004165104.tif 000008